(57)【要約】【課題】被支持物品を安定的に支持できる物品支持脚を提供する。【解決手段】雄ねじ棒１と、棒１を立設した台座２とを含み、棒１は雄ねじ部１１、その下のフランジ部１２及びその下の台座嵌合部１３を有しており、雄ねじ棒１は、台座嵌合部１３が台座孔２１から台座凹所２２へ通されて部材４にて抜け止めされているとともに、台座２に対する正規立ち姿勢に対し傾き可能である物品支持脚１０。台座嵌合部１３の台座外側部分に雄ねじ１３１が周設され、それにナット５が螺合されており、ナット５をフランジ部側へ配置することで雄ねじ棒１が台座に対する正規立ち姿勢に対して傾き可能となり、ナット５を台座側へ緊締してナット５と部材４との間に台座の孔周囲部分を挟着することで雄ねじ棒１を台座２に固定可能である。【選択図】    図１
2008025718.tif 000002
【特許請求の範囲】
【請求項１】
被支持物品に設けられた雌ねじ部に螺合されて回されることで該雌ねじ部下方への突出量が調整される雄ねじ棒と、該雄ねじ棒を立設した台座とを含み、前記雄ねじ棒は雄ねじ部、該雄ねじ部の下に一体的に連設されたフランジ部及び該フランジ部の下に一体的に連設された台座嵌合部を有しており、前記台座は前記台座嵌合部を上下方向に遊嵌貫通させる孔及び該孔の下に連設された台座嵌合部受入れ凹所を有しており、前記雄ねじ棒は、その台座嵌合部が前記台座の孔から前記凹所へ通され、該凹所に位置する抜け止め部材にて該台座から抜け止めされることで該台座に連結されているとともに前記台座に対する正規立ち姿勢に対し傾き可能である物品支持脚であり、前記台座嵌合部の前記台座外側に位置する部分に雄ねじが周設されており、該雄ねじにナットが螺合されており、該ナットを前記フランジ部側へ配置することで前記雄ねじ棒が該台座に対する正規立ち姿勢に対して傾き可能となり、該ナットを該台座側へ緊締して該ナットと前記抜け止め部材との間に前記台座の孔周囲部分を挟着することで該雄ねじ棒を該台座に固定可能であることを特徴とする物品支持脚。
【請求項２】
前記フランジ部はレンチ係合部を兼ねている請求項１記載の物品支持脚。
【発明の詳細な説明】
【技術分野】
【０００１】
本発明は工作機械、コンベア等の各種機械、本、書類等を収納するロッカーや棚類等の各種家具、各種ディスプレイ装置、テレビ、オーディオ装置等の各種電気電子機器などの物品を支持する物品支持脚、特に、台座に雄ねじ棒が立設され、該雄ねじ棒を被支持物品の雌ねじ部に螺合させる一方、該台座を物品支持基体（物品設置床等）上に設置することで該物品を該物品支持基体上に支持する物品支持脚に関する。
【背景技術】
【０００２】
台座に雄ねじ棒が立設され、該雄ねじ棒を被支持物品の雌ねじ部に螺合させる一方、該台座を物品支持基体（物品設置床等）上に設置することで該物品を該物品支持基体上に支持するタイプの物品支持脚は、例えば特許第３０３５４７４号公報、特許第３１２９９０５号公報等に記載されている。
【０００３】
これら公報に記載された物品支持脚は、被支持物品に設けられた雌ねじ部に螺合されて回されることで該雌ねじ部下方への突出量が調整される雄ねじ棒と、該雄ねじ棒を立設した台座とを含み、前記雄ねじ棒は雄ねじ部、該雄ねじ部の下に一体的に連設されたフランジ部（レンチ係合部を兼ねるフランジ部）及び該フランジ部の下に一体的に連設された台座嵌合部を有しており、前記台座は前記台座嵌合部を上下方向に遊嵌貫通させる孔及び該孔の下に連設された台座嵌合部受入れ凹所を有しており、前記雄ねじ棒は、その台座嵌合部が前記台座の孔から前記凹所へ通され、該凹所に位置する抜け止め部材にて該台座から抜け止めされることで該台座に連結されている。そして、フランジ部と台座との間にはスラストベアリングが嵌装されている。
【０００４】
また、このようなスラストベアリングを備えず、フランジ部が台座に直接、或いはリング部材等を介して着座するようにした物品支持脚も知られている。
そのような物品支持脚の１例を図９に示す。図９の物品支持脚１０’は、被支持物品Ｗに設けられた雌ねじ部Ｓに螺合されて回されることで該雌ねじ部下方への突出量が調整される雄ねじ棒１と、雄ねじ棒１を立設した台座２とを含んでいる。雄ねじ棒１は雄ねじ部１１、雄ねじ部１１の下に一体的に連設されたフランジ部（図示例ではレンチ係合部を兼ねるフランジ部）１２及びフランジ部１２の下に一体的に連設された台座嵌合部１３’を有している。
【０００５】
台座２は台座嵌合部１３’を上下方向に遊嵌貫通させる孔２１及び該孔の下に連設された台座嵌合部受入れ凹所２２を有している。雄ねじ棒１は、その台座嵌合部１３’が台座孔２１からその下の凹所２２へ通され、該凹所に位置する抜け止め部材４にて台座２から抜け止めされ、台座２に連結されている。抜け止め部材４は、図示例では、ナット４であり、雄ねじが周設された断面円形の台座嵌合部１３’に、該ナットの雌ねじ及び台座嵌合部の雄ねじを圧潰しつつ圧入されている。
【０００６】
図９に例示する物品支持脚１０’は、雄ねじ棒１の雄ねじ部１１を被支持物品Ｗの雌ねじ部Ｓに螺合させる一方、台座２を物品支持基体（物品設置床等）Ｆ上に設置し、レンチ係合部１２に図示省略のレンチ（スパナ等）を係合させて雄ねじ棒１を回して雌ねじ部Ｓ下方への雄ねじ棒の突出量を調整することで、物品Ｗを物品支持基体Ｆから所望の高さに配置することができる。このとき、レンチ係合部を兼ねるフランジ部１２が台座２の頂面に摺動回動可能に着座し、雄ねじ棒１が台座２に対し直立する正規立ち姿勢をとっている。なお、図９においてＮは必要に応じて雄ねじ部１１に螺合されるロックナットである。      
【０００７】
図９に例示する物品支持脚１０’のもう一つの特徴として、雄ねじ棒１が台座２に対する正規立ち姿勢に対して図１０に例示するように傾き可能となっている点を挙げることができる。
傾き可能とするために、図９、図１０に示す物品支持脚１０’では、台座孔２１の内径が雄ねじ棒１の台座嵌合部１３の外径より僅かに大きく形成されているとともに、台座嵌合部１３の長さが、雄ねじ棒１のフランジ部１２を台座２に着座させたとき台座内の抜け止め部材４と台座内面との間に僅かな間隙ｇが形成されるように（従って雄ねじ棒１を上方へ引き上げると台座頂面とフランジ部１２との間に僅かな間隙ｇが形成されるように）設定されている。このような設定により雄ねじ棒１は、台座２に対する正規立ち姿勢に対して傾き可能となっている。
【０００８】
このように雄ねじ棒１が台座２に対する正規立ち姿勢に対して傾き可能となっている理由は、例えば、図１０に例示するように物品支持基体Ｆ面が傾斜しているような場合に、台座２を該基体Ｆ面に設置し易くするためである。逆に、物品Ｗが傾いている場合にも対応できるようにするためである。
【０００９】
【特許文献１】特許第３０３５４７４号公報
【特許文献２】特許第３１２９９０５号公報
【発明の開示】
【発明が解決しようとする課題】
【００１０】
しかしながら、図９に示すように雄ねじ棒が台座に対し相対的に傾き可能であるタイプの物品支持脚は次のような問題がある。
図９に示すように雄ねじ棒が台座に対し正規立ち姿勢で直立する状態で被支持物品を支持している場合であれ、図１０に示すように、雄ねじ棒と台座とが相対的に傾斜した状態で被支持物品を支持している場合であれ、被支持物品に急激な力が加わるなどすると、雄ねじ棒がぐらつき、被支持物品の支持状態が不安定になる。
【００１１】
被支持物品が貨物を搬送しているベルトコンベアである場合を例にとると、ベルトコンベアが停止したとき、搬送していた貨物の慣性力がベルトコンベアに伝わり、コンベアに貨物搬送方向等に急激な力が加わる場合があるが、そのような場合に雄ねじ棒がぐらつき、コンベアの支持状態が不安定になったり、貨物がコンベアから落下することがある。
【００１２】
そこで本発明は、被支持物品に設けられた雌ねじ部に螺合されて回されることで該雌ねじ部下方への突出量が調整される雄ねじ棒と、該雄ねじ棒を立設した台座とを含み、前記雄ねじ棒は雄ねじ部、該雄ねじ部の下に一体的に連設されたフランジ部及び該フランジ部の下に一体的に連設された台座嵌合部を有しており、前記台座は前記台座嵌合部を上下方向に遊嵌貫通させる孔及び該孔の下に連設された台座嵌合部受入れ凹所を有しており、前記雄ねじ棒は、その台座嵌合部が前記台座の孔から前記凹所へ通され、該凹所に位置する抜け止め部材にて該台座から抜け止めされることで該台座に連結されているとともに前記台座に対する正規立ち姿勢に対し傾き可能である物品支持脚であって、このタイプの従来の物品支持脚と比べると、被支持物品を安定的に支持できる物品支持脚を提供することを課題とする。
【課題を解決するための手段】
【００１３】
前記課題を解決するため本発明は、
被支持物品に設けられた雌ねじ部に螺合されて回されることで該雌ねじ部下方への突出量が調整される雄ねじ棒と、該雄ねじ棒を立設した台座とを含み、前記雄ねじ棒は雄ねじ部、該雄ねじ部の下に一体的に連設されたフランジ部及び該フランジ部の下に一体的に連設された台座嵌合部を有しており、前記台座は前記台座嵌合部を上下方向に遊嵌貫通させる孔及び該孔の下に連設された台座嵌合部受入れ凹所を有しており、前記雄ねじ棒は、その台座嵌合部が前記台座の孔から前記凹所へ通され、該凹所に位置する抜け止め部材にて該台座から抜け止めされることで該台座に連結されているとともに前記台座に対する正規立ち姿勢に対し傾き可能である物品支持脚であり、前記台座嵌合部の前記台座外側に位置する部分に雄ねじが周設されており、該雄ねじにナットが螺合されており、該ナットを前記フランジ部側へ配置することで前記雄ねじ棒が該台座に対する正規立ち姿勢に対して傾き可能となり、該ナットを該台座側へ緊締して該ナットと前記抜け止め部材との間に前記台座の孔周囲部分を挟着することで該雄ねじ棒を該台座に固定可能である物品支持脚を提供する。
【００１４】
本発明に係る物品支持脚は、例えば次のようにして被支持物品の支持に利用できる。
雄ねじ棒の台座嵌合部の雄ねじに螺合したナットをフランジ部側へ回し寄せた状態で、雄ねじ棒の雄ねじ部を被支持物品の雌ねじ部に螺合する一方、台座を物品支持基体（物品設置床等）上に設置する。
【００１５】
このとき、被支持物品と物品支持基体（物品設置床等）とが相対的に傾斜していない場合は雄ねじ棒を台座に対し正規の立ち姿勢において台座を物品支持基体（物品設置床等）上に設置でき、被支持物品と物品支持基体（物品設置床等）とが相対的に傾斜している場合でも、ナットをフランジ部側へ回し寄せているので、雄ねじ棒を台座に対し正規の立ち姿勢から傾かせることができ、それにより台座を物品支持基体に容易に設置できる。
【００１６】
そして、(1) フランジ部に適当なレンチ（回し具）を係合する、(2) 雄ねじ棒上端部に適当な回し用補助具を装着して該補助具に適当なレンチを係合する等して雄ねじ棒を回し、それにより雌ねじ部Ｓ下方への雄ねじ棒の突出量を調整することで、被支持物品を物品支持基体Ｆから所望の高さに配置することができる。
【００１７】
次いで、台座嵌合部の雄ねじに螺合したナットを台座側へ回して緊締し、該ナットと台座内凹所に位置する抜け止め部材との間で台座の孔周辺部分をしっかり挟着して雄ねじ棒を台座に固定する。
【００１８】
かくして、雄ねじ棒を台座にぐらつかないように固定でき、被支持物品に急激な力が加わるなどしても、それだけ被支持物品を安定的に支持できる。
被支持物品が例えば貨物を搬送しているベルトコンベアである場合、ベルトコンベアが停止したとき、搬送していた貨物の慣性力がベルトコンベアに伝わり、コンベアに貨物搬送方向等に急激な力が加わる場合でも、コンベアを安定的に支持でき、貨物がコンベアから落下する等の好ましくない事態の発生を抑制できる。
【００１９】
前記雄ねじ棒のフランジ部はレンチ係合部を兼ねていてもよい。例えば、平面から見たときの外輪郭を６角形に形成し、スパナを係合できるようにしてもよい。
【発明の効果】
【００２０】
以上説明したように本発明によると、被支持物品に設けられた雌ねじ部に螺合されて回されることで該雌ねじ部下方への突出量が調整される雄ねじ棒と、該雄ねじ棒を立設した台座とを含み、前記雄ねじ棒は雄ねじ部、該雄ねじ部の下に一体的に連設されたフランジ部及び該フランジ部の下に一体的に連設された台座嵌合部を有しており、前記台座は前記台座嵌合部を上下方向に遊嵌貫通させる孔及び該孔の下に連設された台座嵌合部受入れ凹所を有しており、前記雄ねじ棒は、その台座嵌合部が前記台座の孔から前記凹所へ通され、該凹所に位置する抜け止め部材にて該台座から抜け止めされることで該台座に連結されているとともに前記台座に対する正規立ち姿勢に対し傾き可能である物品支持脚であって、このタイプの従来の物品支持脚と比べると、被支持物品を安定的に支持できる物品支持脚を提供することができる。
【発明を実施するための最良の形態】
【００２１】
以下、本発明の実施形態を図面を参照して説明する。
図１は、本発明に係る物品支持脚の１例を示している。図１に示す物品支持脚１０は、雄ねじ棒１と、雄ねじ棒１を立設した台座２とを含んでいる。雄ねじ棒１は雄ねじ部１１、雄ねじ部１１の下に一体的に連設されたレンチ係合部を兼ねるフランジ部１２及びフランジ部１２の下に一体的に連設された台座嵌合部１３を有している。台座嵌合部は断面円形の部分であり、雄ねじ１３１を周設してあり、また、図２に示すように下端面にプラズドライバを係合できる十字凹所１３２を形成してある。
【００２２】
台座２は台座嵌合部１３を上下方向に遊嵌貫通させる孔２１及び該孔の下に連設された台座嵌合部受入れ凹所２２を有している。孔２１の内径は台座嵌合部１３の外径より僅かに大きい。
【００２３】
雄ねじ棒１は、その台座嵌合部１３の雄ねじ１３１に六角ナット５が螺合され、該ナットより下側へ突出する部分が台座孔２１からその下の凹所２２へ通され、該凹所に位置する抜け止め部材４にて台座２から抜け止めされ、台座２に連結されている。抜け止め部材４は、本例ではナット４であり、雄ねじが周設された断面円形の台座嵌合部１３の下端部に、ナット４の雌ねじ及び台座嵌合部の雄ねじ１３１を圧潰しつつ圧入されている。
【００２４】
抜け止め部材はかかる圧入される部材４に限定されるものではなく、台座嵌合部に周設した溝に着脱可能のＣ型、Ｅ型等の所謂スナップリングからなる抜け止め部材、かかるスナップリングとその上側で台座嵌合部に嵌合されるリング部材とからなる抜け止め部材、台座嵌合部に螺合される雌ねじ部材等の各種抜け止め部材を採用できる。
【００２５】
図１に示す状態では、ナット５が台座２側へ回し寄せられて台座２の頂面に着座しており、ナット５とフランジ部１２との間に僅かなギャップＧが提供され、ネジ棒１は台座１に対し直立する正規立ち姿勢におかれている。
【００２６】
ここで、ナット５をフランジ部１２へ回し寄せ、雄ねじ棒１を台座２に対し相対的に持ち上げると、図３に示すように、ナット５の下面と台座２の頂面との間にギャップを形成することができ、図示していないがナット５を台座２に着座させると、台座２の頂部内面と抜け止め部材４との間にギャップが形成される。
【００２７】
この物品支持脚１０では、かかるギャップ設定と、台座嵌合部外径より大きい台座孔径とにより、雄ねじ棒１が、図１に示す台座２に対する正規の立ち姿勢に対し、また台座２に対し、図４に示すように、相対的に若干傾斜可能となっている。
【００２８】
以上説明した物品支持脚１０は例えば次のようにして被支持物品の支持に利用できる。  雄ねじ棒１の台座嵌合部１３の雄ねじ１３１に螺合したナット５をフランジ部１２側へ回し寄せた状態で、図５や図６に示すように、雄ねじ棒１の雄ねじ部１１を被支持物品Ｗの雌ねじ部Ｓに螺合する一方、台座２を物品支持基体（物品設置床等）Ｆ上に設置する。      
【００２９】
このとき、被支持物品Ｗと物品支持基体（物品設置床等）Ｆとが相対的に傾斜していない場合は、図５に示すように、雄ねじ棒１を台座２に対し正規の立ち姿勢において台座２を物品支持基体Ｆ上に設置できる。また、図６に示すように、被支持物品１と物品支持基体Ｆとが相対的に傾斜している場合でも、ナット５をフランジ部１２側へ回し寄せているので、雄ねじ棒１を台座２に対し正規の立ち姿勢から傾かせることができ、それにより台座２を物品支持基体Ｆに容易に設置できる。
【００３０】
そして、(1) フランジ部１２に適当なレンチ（スパナ等）を係合する、(2) 雄ねじ棒上端部に適当な回し用補助具( 図示省略) を装着して該補助具に適当なレンチを係合する、(3) 基体Ｆにプラスドライバを挿入できる孔が開いている場合には該孔からプラスドライバを挿入して台座嵌合部１３下端面の十字凹所１３２に係合させる等して雄ねじ棒１を回し、それにより雌ねじ部Ｓ下方への雄ねじ棒１の突出量を調整することで、被支持物品Ｗを物品支持基体Ｆから所望の高さに配置することができる。
【００３１】
次いで、台座嵌合部１３の雄ねじ１３１に螺合したナット５を台座２側へ回して緊締し、ナット５と台座内凹所２２に位置する抜け止め部材４との間で台座２の孔周辺部分をしっかり挟着して雄ねじ棒１を台座２に固定する。
【００３２】
かくして、雄ねじ棒１を台座２にぐらつかないように固定でき、被支持物品Ｗに急激な力が加わるなどしても、それだけ被支持物品Ｗを安定的に支持できる。
被支持物品Ｗが例えば貨物を搬送しているベルトコンベアである場合、ベルトコンベアが停止したとき、搬送していた貨物の慣性力がベルトコンベアに伝わり、コンベアに貨物搬送方向等に急激な力が加わる場合でも、コンベアを安定的に支持でき、貨物がコンベアから落下する等の好ましくない事態の発生を抑制できる。
なお、各図においてＮは、必要に応じて雄ねじ部１１に螺合させてもよいロックナットである。
【００３３】
以上説明した物品支持脚１０は、ナット５を受けるスラストベアリングを設けていないタイプものであったが、本発明に係る物品支持脚は、例えば、図７に示すように台座２の頂面上にナット５を受けるスラストベアリング６を配置した物品支持脚１０ａや、図８に示すように台座頂部の凹所にナット５を受けるスラストベアリング７を配置した物品支持脚１０ｂであってもよく、本発明は各種物品支持脚に適用可能である。
【産業上の利用可能性】
【００３４】
本発明は、ぐらつきを抑制して被支持物品を支持できる物品支持脚の提供に利用することができる。
【図面の簡単な説明】
【００３５】
【図１】本発明に係る物品支持脚の１例の、一部を断面で示す正面図であり、雄ねじ棒が正規立ち姿勢状態にあるときの正面図である。
【図２】図１の物品支持脚の底面図である。
【図３】図１に示す物品支持脚においてナットをフランジ部側へ回し寄せたときの、一部を断面で示す物品支持脚正面図である。
【図４】図１に示す物品支持脚においてナットをフランジ部側へ回し寄せ、雄ねじ棒を傾斜させたときの、一部を断面で示す物品支持脚正面図である。
【図５】図１に示す物品支持脚による被支持物品の支持例を示す図である。
【図６】図１に示す物品支持脚による被支持物品の支持の他の例を示す図である。
【図７】本発明に係る物品支持脚の他の例の、一部を断面で示す正面図である。
【図８】本発明に係る物品支持脚のさらに他の例の、一部を断面で示す正面図である。
【図９】従来の物品支持脚により被支持物品を支持する例を示す図である。
【図１０】従来の物品支持脚により被支持物品を支持する他の例を示す図である。
【符号の説明】
【００３６】
１０、１０’  物品支持脚
１    雄ねじ棒
１１  雄ねじ部
１２  フランジ部
１３、１３’  台座嵌合部
１３１  台座嵌合部の雄ねじ
１３２  十字形凹所
２    台座
２１  孔
２２  台座の凹所
４    抜け止め部材
５    ナット
Ｇ、ｇ  ギャップ
Ｗ  被支持物品
Ｓ  雌ねじ部
Ｎ  ロックナット
Ｆ  物品支持基体
【図１】
2008025718.tif 000003
【図２】
2008025718.tif 000004
【図３】
2008025718.tif 000005
【図４】
2008025718.tif 000006
【図５】
2008025718.tif 000007
【図６】
2008025718.tif 000008
【図７】
2008025718.tif 000009
【図８】
2008025718.tif 000010
【図９】
2008025718.tif 000011
【図１０】
2008025718.tif 000012